(57)【要約】  ごみ貯蔵機器はその内部にカセット（１）が据え付けられた容器（２１）を含んでいる。ねじられて分離された複数のパッケージ（３５）を貯蔵するために、袋織り（２）が前記カセット（１）の中心を貫通して引き出される。回転可能な円板（１００）及び使用者の把持部（１０２）によって、複数のパッケージ（３５）間のねじりを与えるために、前記カセット（１）は前記容器（２１）に対して回転させられる。前記パッケージは把持ダイヤフラム（１２０）によって回転しないように把持され、複数のパッケージ間がねじられないことを防止するために、ガイドダイヤフラム（１２２）によって前記容器の壁に向けてガイドされる。【選択図】図４
2007510600.tif 000002
【特許請求の範囲】
【請求項１】
小室を受け入れるごみ貯蔵カセットと、前記小室に対するごみ貯蔵カセットの回転のために、前記小室内に回転可能に据え付けられ、ごみ貯蔵カセットに係合するように形成されたごみ貯蔵カセット回転装置と、を備えたごみ貯蔵機器。
【請求項２】
前記ごみ貯蔵カセット回転装置は、回転可能な係合のため、ごみ貯蔵カセット上で協同する構成と係合して用いられるために配置された構成を備える請求項１記載のごみ貯蔵機器。
【請求項３】
前記ごみ貯蔵カセット回転装置は、前記ごみ貯蔵カセットの回転のためのごみ貯蔵カセットを支持する構成をさらに備える請求項１又は請求項２記載のごみ貯蔵機器。
【請求項４】
前記小室を受け入れるごみ貯蔵カセットは、前記ごみ貯蔵カセットの回転のためのごみ貯蔵カセットを支持する構成を備える請求項１又は請求項２記載のごみ貯蔵機器。
【請求項５】
ごみ貯蔵機器におけるごみ貯蔵カセットであって、前記ごみ貯蔵カセットは、それらの間でごみ貯蔵袋織りの貯蔵所を規定する内側壁及び外側壁と、袋織りが貫通して通過するのに用いられる中央部分を有する前記内側壁と、を備え、前記ごみ貯蔵カセットは、前記中央部分から離れた部分上に形成された回転装置をさらに有する、ごみ貯蔵機器におけるごみ貯蔵カセット。
【請求項６】
前記回転装置は、前記カセットの外側壁上に形成されている請求項５記載のごみ貯蔵カセット。
【請求項７】
ごみを包むための袋織りを入れている回転可能なごみ貯蔵カセットを受け入れるためのごみ貯蔵カセット容器を備えたごみ貯蔵機器であって、前記機器は、包まれたごみがごみ貯蔵容器内に向けて通過するための喉部をさらに備え、前記ごみ貯蔵容器内には、包まれたごみ把持部が前記喉部に設けられ、前記包まれたごみ把持部は、包まれたごみの孔の周りに柔軟な把持領域を備える、ごみ貯蔵機器。
【請求項８】
前記包まれたごみ把持部は柔軟なダイヤフラムである請求項７記載のごみ貯蔵機器。
【請求項９】
前記ダイヤフラムは中央の包まれたごみの孔を有する請求項８記載のごみ貯蔵機器。
【請求項１０】
前記孔は、複数の把持指を規定する周囲の複数の丸い突出部を含んでいる請求項９記載のごみ貯蔵機器。
【請求項１１】
ごみを包むための袋織りを入れている回転可能なごみ貯蔵カセットを受け入れるためのごみ貯蔵カセット容器を備えたごみ貯蔵機器であって、前記機器は、包まれたごみがごみ貯蔵容器内に向けて通過するための喉部をさらに備え、前記ごみ貯蔵容器内には、ごみ貯蔵容器の壁に向けて包まれたごみをガイドするように用いられるために、包まれたごみガイドが前記喉部に設けられている、ごみ貯蔵機器。
【請求項１２】
前記包まれたごみガイドはガイド孔を含んでいる請求項１１記載のごみ貯蔵機器。
【請求項１３】
前記ガイド孔は前記ごみ貯蔵容器の壁に向けたフラップ部分の開口部を規定している請求項１２記載のごみ貯蔵機器。
【請求項１４】
ごみを包むための袋織りを入れている回転可能なごみ貯蔵カセットを受け入れるためのごみ貯蔵カセット容器を備えたごみ貯蔵機器であって、前記機器は、回転可能な袋織りカッター及び前記カッターのとぎれない完全な一回転を可能にするために解放可能な、解放可能な自動ロック式の回り止めを含んでいるごみカセット容器の蓋をさらに備えたごみ貯蔵機器。
【請求項１５】
一方向にだけの回転を許可するために、前記回転可能なカッターと関連したラチエットをさらに備えた請求項１４記載のごみ貯蔵機器。
【請求項１６】
ごみ貯蔵機器に回転可能に据え付けるためのごみ貯蔵カセットであって、前記ごみ貯蔵カセットは、外側壁及び前記カセットの回転のためにカセット回転装置の協同する構成と係合して用いられるために配置された該壁上に備えられた構成を有するごみ貯蔵カセット。
【請求項１７】
ごみ貯蔵機器に回転可能に据え付けるためのごみ貯蔵カセットであって、据付られた時に前記カセットの回転を許すために、前記カセットは前記外側壁から突出したカセットマウントを有するごみ貯蔵カセット。
【発明の詳細な説明】
【技術分野】
【０００１】
この発明は、例えば、おむつのようなごみを貯蔵するごみ貯蔵機器に関する。
【背景技術】
【０００２】
１つの公知の貯蔵機器が、英国特許第２２０６０９４号明細書（本件明細書において組み込まれている。）に開示され、図１に参考として示されている。前記機器は特に、赤ちゃんのおむつや他の個人的なごみ材料のようなごみの、その後の処分のための貯蔵に有用である。プラスチック容器２１は、内部のフランジ２２と共に形成されており、該フランジ２２から上方に円筒２３が延びている。
【０００３】
ある長さのひだをつけられた柔軟な袋織り２が豊富に円周方向に内部に収容された管状コア１からなるパックが、前記コア１が前記フランジ２２上に配置され、前記円筒２３上で回転するようにして、前記容器２１内に配されている。特に実例としては赤ちゃんの処分されるおしめである、物体の一連のパッケージを形成するために前記パックを使用し始めるために、前記柔軟な袋織り２の先端が上方に引っ張られ、結び目２４として結ばれる。この閉鎖された端部が、前記袋織りのある長さに沿って形成される１つの包装物の底を形成することになる。このことは、前記コア１と包装されるべき物体のそばの円筒２３内で前記閉鎖された端部を下方に押すことによってなされる。
【０００４】
このことが行われる時に、前記柔軟な袋織りが損傷しないように充分に滑らかに作製された前記コア１の上端部２５（図１）を越えて、ひだをつけられた長さから前記柔軟な袋織り２が滑る。前記コア１は、ほぼ４インチ（10.16cm）の直径でよいが、当然に、前記柔軟な袋織り２の直径は、実質的にこれ以上である。
【０００５】
前記物体が同心のコア１と円筒２３中に完全に投げ込まれると、前記パッケージは、前記物体の上方で前記柔軟な袋織り２をねじることにより閉じられる（図１）。このことは、ひだをつけられた袋織りをその上に置いた状態で、前記コア１を回転することによりなされる。このために、前記コア１の頂部において切頭円錐形の内部表面５１に適合する先細の外部表面を持って形成された付随的な環状フランジ５０を有している、ユニット３１が形成されている。この手動でのねじり操作の間、前記容器２１に固定され、前記パッケージに係合するように半径方向内方に突出している複数のばね５２によって、前記パッケージは、前記コアの軸に関して回転しないようにされている。これらのばねは前記容器２１の周りに等距離で離間している。前記ねじり操作の間に前記柔軟な袋織りが滑るのを防止するために、前記切頭円錐形の内部表面５１上に、上方に延びる複数の隆起を分割する複数の狭い溝が形成されている。
【０００６】
前述した手段によって、一連の結合した複数の閉じられたパッケージ３５が形成され、このことは、前記ひだをつけられた袋織り２がなくなるまで継続することができる。図１の配置では、前記複数のパッケージは、通常は適当な形式の手動で閉鎖状態が保持される蝶番のある基底５３で、底部が閉じられた前記容器の貯蔵部３６に集まる。ごみ処分施設への移送のために、前記貯蔵部３６から前記複数のパッケージを取り除く必要がある時には、最上部のパッケージは、その上方のねじられた閉鎖３０の上部で切断され、前記貯蔵部の端部を通過して前記複数のパッケージを取り除くために、前記蝶番のある基底５３が開かれる。前記複数のパッケージ間の前記ねじられたシールが緩みだしたとしても、蓋と新しく形成されたいちばん上のねじられたシールが、匂い、蒸気、及びガスが周囲の大気中に漏れるのを防止する。しかしながら、前記袋織り２が高密度のポリエチレンで製造されている場合には、前記ねじられた接合部は著しく堅く締まったままであることが、解っている。
【０００７】
このような配置の改良が、英国特許第２２９２７２５号明細書（本件明細書において組み込まれている。）に開示され、図２として示されている。引入口エッジ１５を有し外方に朝顔形に開いたじょうご１２が、先細のジョイント１６で、前記コア１の頂部に取り外し自在に結合されている。前記物体が下方に押し込まれる時に、前記じょうごの朝顔形の部分に袋織りの新鮮で衛生的な層をもたらすために、前記柔軟な袋織り２は、前記じょうご１２の前記引入口エッジ１５を越えて前記パックから引き出されるので、前記じょうごは、前記機器の衛生をなおいっそう改良したものである。前記じょうご１２は、ねじられた閉鎖３０を得るためにねじられる。別のばね配置１４が図２に示され、英国特許２２９２７２５号明細書に充分に開示されている。
【０００８】
英国特許第２２０６０９４号明細書及び英国特許第２２９２７２５号明細書は、共に、処分するために前記複数のパッケージを取り除く必要がある時に、前記袋織りを切断する切断装置をさらに開示している。図３を参照すると、前記切断手段は前記ユニット３１に込みこまれている。前記コア１の頂部あるいはじょうご１２にはまり込んだフランジ５０と共に形成された外側リング５５と前記リング５５内で自由に回転する円板５６を備えた２部に分かれたユニットである前記ユニット３１内に組み入れられている。前記円板５６は円形の透明シート５７を含んでおり、それを通して使用者はねじられた柔軟な袋織りを見ることができ、相対的に静止したフランジ５０内部の狭い複数のフランジ間に配置された水平フランジ５８及び垂直フランジ５９（図１）を有する角度部分リング内にセットすることができる。前記透明シート５７上部に、前記角度リング５８，５９内に、３つの指部６０が１２０°間隔で固定されている。カッターユニット６１が前記フランジ５８の下方に固定されている。この機器は、上部のアーチ形部分６２と下部の先細の靴状部６３を有しており、それらの主たる部分で両者間に隙間を有している。この隙間の閉じた終端部の近くに、相対的に静止したフランジ５０にできるだけ近接して金属の切断刃６４が固着されており、前記蓋３１を取り除くときに、人の指を傷つけることがないように、前記刃が覆われている。この蓋の優れた材料は、プラスチック材料又は金属である。
【０００９】
前記カッターユニット６１を操作するために、前記複数の指部６０又は他の適切な複数の指部の全周の回転によって、前記円板５６は回転させられる。この運動中に、前記先細の靴状部６３は、最上部のねじり３０から前記コア１へと外方に朝顔形に開いている、前記柔軟な袋織りの半径方向にひだをつけられた緊張した部分６５を貫く。前記円板５６をさらに回転すると、前記切断刃６４が前記袋織り材料の周囲を切断し、前記コア１上に残っている柔軟な袋織りから前記最上部のパッケージをきれいに分離する。前記カッターユニットは、１２０°間隔で作動する解放可能な指状廻り止めを、さらに含んでいる。
【００１０】
さらなる改良は、国際公表９９／３９９９５号公報（本件明細書において組み込まれている。）に開示され、図３に関して上述したと類似のタイプのカッターを開示しているが、ごみ貯蔵容器の蝶番のある蓋と一体的に形成されている。前記蝶番のある蓋は、前記容器を閉鎖するために下方に揺動し、結果として前記カッターは、簡単な切断装置として自動的に前記袋織りに係合する。
【００１１】
さらなる改良のための種々の領域が、公知の機器に関して存在する。前記袋織りをねじることは手動でなされ、上述した前記じょうご状装置があるけれども、使用者の両手が直接好ましくないであろう前記袋織りに接触する必要がある。前記袋織りが回転しないように保持する現存するばね配置は、いくつかの場合、パッケージが前記複数のばねによって確実に保持されているのかどうかに関して、使用者に充分な触覚のフィードバックを与えない。さらに、包装材料は、その周囲を一様でなく堅く保持され得るので、前記切断操作は損なわれる。さらに、複数のパッケージ間の個々のシールを取り除いて、前記複数のばねの下方に吊るされた複数のパッケージをねじることはできない。
【００１２】
現存するカッターのデザインでは、繰り返しての確認なしでは、完全な切断が成されたのかどうかが不明確であり、前記カッターが誤った方向に回転するかも知れない危険性もある。
【００１３】
カセットの設計に関しては、異なる容器の大きさに対して、異なるカセットの組が必要となることが判った。さらに、前記カセットの回転抵抗を最小にすることが望ましい。
【特許文献１】英国特許第２２０６０９４号明細書
【特許文献２】英国特許第２２９２７２５号明細書
【特許文献３】国際公表９９／３９９９５号公報
【発明の開示】
【課題を解決するための手段】
【００１４】
本発明は、添付された請求項において詳述される。
【００１５】
本発明を、図面を参照しつつ、実施例によって具体的に説明する。
【００１６】
概観すると、本発明は、改良されたごみ貯蔵機器及びカセットを提供する。前記ごみ貯蔵機器は、使用者の把持部をもつ外側の回転可能な円板を備えている。前記回転可能な円板は前記カセットに係合し、前記カセットそれ自体、あるいは前記袋織りに触れる必要がなく、ほとんど苦もなく、前記カセットは手動でねじる又は回転させることができる。
【００１７】
前記ねじり操作は、従来型のばねに代えて中央孔を有する上部把持ダイヤフラムとすることで、さらにいっそう改良されている。結果として、前記パッケージは、強固にそして連続的にその周囲を、ねじり動作に対して保持され、個々のパッケージはより効率的に密閉される。また、この装置は、使用者により良い触覚の反応を提供し、前記袋織りをより強固に保持し、改良された切断を可能にすることが解る。さらに、下部ガイドダイヤフラムは、前記容器の壁方向に向けられた三角形状のフラップを規定する中央孔を含んでおり、パッケージが前記孔を通過したときに、このパッケージが前記容器の側面に向けて押され、前記袋織りが前記容器の下部内でねじられないように、該側面に対して保持する。
【００１８】
前記カッターは前記蓋内に備えられているが、３６０°の回転毎に係合する単一の回り止めを含んでおり、使用者が完全な切断を意味する完全な一ねじりが実行されたときを確認することができる。さらにまた、前記カッターは、切断方向にだけ回転するようにラチエット装置を有している。
【００１９】
さらなる改良は、前記カセットは、その外側円筒状壁周りの環状フランジから吊るすように設計されており、その結果として、多数の異なるタイプの容器に据え付けることができ、回転するために低抵抗である。
【発明を実施するための最良の形態】
【００２０】
図４を参照すると、前記機器がより詳細にわかる。基本的な操作は、図１から図３を参照して上述したと同様であり、重複を避けるためにここでは詳述しない。同様に、共通の部分には共通の参照符号を付している。前記機器は、じょうご１２を越えて袋織り２が下方に引き出されているカセット１が装備された容器２１を含んでいる。前記じょうご１２は前記カセットに押し込まれ整合しており、信頼性のある締まりばめを提供する。前記袋織りの頂部が、図面の理解を容易にするために模式的に透明で示されており、前記袋織りは、複数のねじりにより分離された複数のおむつのような複数のパッケージ３５を含んでいる。
【００２１】
前記機器は、ハンドル１０２を備えた回転可能なスピナー又は円板１００を含んでいる。前記円板１００は、前記容器２１上に形成された環状リム１０４上で回転するように据付られている。前記カセット１は、その外壁の周囲に、前記肩１０４上に載っている環状フランジ１０６を有しており、前記袋織り２にねじりを起こさせるために、前記円板１００の回転は前記カセットを回転させる。別の実施例（図示せず）では、前記カセット上の前記環状フランジ１０６は、前記容器それ自体に形成された構成上に置かれ、前記円板１００は、前記カセット内の複数の切り欠きのような構成と係合作用をする複数の突起のような構成を含んでいる。いすれにしても、より簡単な、及び回転するためにより少ない抵抗を持つ、カセット回転手段が提供される。
【００２２】
蝶番のある蓋７０が、さらに前記容器２１上に設けられている。前記蝶番のある蓋７０は一体的なカッター５７を含んでおり、前記蓋７０が閉鎖された時に、前記カッター５７は、図３に関して上述したと同様にして前記袋織りを切断するために、前記じょうご１２に衝突して前記袋織り２に係合する。本発明による前記カッターの特別な形態は以下により詳しく記述される。
【００２３】
前記容器は、さらに、前記カセットの下方の、前記容器２１の口部分に設けられ、柔軟な材料から形成された適当な構成上に据付られた上部把持ダイヤフラム１２０及び下部ガイドダイヤフラム１２２を含んでいる。前記上部把持ダイヤフラム１２０は、中心開孔を有しており、該中心開孔は、例えば円形又は以下により詳細に説明する複数の丸い突出部を有する円形であってよく、前記回転可能な円板１００による前記カセットの回転に逆らってパッケージを保持するために配されている。前記下部ガイドダイヤフラム１２２は、以下により詳細に説明するＶ形の切り込みを有しており、パッケージ３５が押し込まれた時、回転とねじられないことを防止するために、前記パッケージ３５が前記容器２１の側面の方に導かれ、係合するのを確実にする。前記ダイヤフラム１２２は前記パッケージ３５を、前記パッケージ３５との接触を容易にするための付加的なユニット式の内部壁又は縦溝彫りの部分を有する側面２１ａ方向へ導くことが理解できるだろう。蝶番のある蓋、回転する円板、カセット、上部及び下部ダイヤフラムは、すべて容器２１の頂部に備えられており、該頂部は、前記容器２１内に貯蔵されたごみを取り除くことができるように、前記容器２１の下部から外すことができる。前記２つの部分は適切な捕捉手段で、互いに保持することができる。そして、随意に、前記捕捉手段は、また前記容器を全体的に移動する際の一体的な取っ手を提供する。
【００２４】
前記回転可能な円板とカセット装置を、図５、図６を参照して詳細に説明する。前記回転可能な円板１００は、使用者による前記円板の自由な回転を容易にするために回転する、前記ハンドル１０２が装着されたポストを備えた上部環１１０を含んでいる。外側の円筒状の壁１１２は前記環１１０から垂れ下がっており、該壁の下部表面は図４に見るように前記容器の支持表面上に支持されている。内側の円筒状壁１１４は前記環１１０の内側端部から垂れ下がっており、図６から理解できるように、その基底で前記カセット１を支持する前記肩を規定する内側方向に突出した環状支持フランジ１１５を備えている。前記カセット１は、その外壁上に、前記支持フランジ１１５上に載っている外方向に突出する環状フランジ又はくちびる１１６を備えている。さらに、前記外側円筒状壁の下部表面から突出している突出部１１８は、完全な回転係合を確実にするために、前記カセット１内で凹所又は孔１１９に係合する。前記孔１１９は、例えば、製造工程中に袋織りが前記カセット内に挿入されたとき、空気を逃がすための通気孔としても役立つ。前記カセットは、その外部表面の周囲に、前記回転可能な円板１００上の協同する突出部又は他の形成部と係合する複数の軸方向に方向付けられたリブを担持することができる。前記上部環１１０は、使用者が前記カセットの中央孔を通して、前記袋織りを引き出すために前記袋織りに接触することが可能となる切り取り部を含むことができる。前記袋織りは、それが空になるのが近づいたときに、使用者に表示するための在庫切れの指示部として、その下方端部に色付け又は他の指示部を担持することができる。
【００２５】
図７を参照すると、前記蝶番のある蓋７０が、外部の下向きに曲線状の表面唇状部２５２と、内側上方向に突出した円筒状のガイド唇状部２０４を備えた、内方の概して水平の環状フランジ２０２を有した中央の円形開口を形成している、下向きに半球形にふくらんだ内方の表面部分２５４とを有する円板状縁部２５０を含んでいるものとしてより詳細に記載されている。前記カッター５７は、蝶番のある蓋のガイド唇状部２０４に対して回転可能に据え付けられた適切な握り部（図示せず）をもつ概して円形部分、及び回転ガイドを形成するために、ガイド唇状部２０４に対して係合する協同する内方唇状部２０８を備えた、ハンドル部２０６を含んでいる。前記ハンドル部２０６から垂れ下がったカッター部２１０は、図３を参照して詳述したように、突出する刃（図示せず）をもつ靴部２１４を備えた円筒形板を含んでいる。前記ハンドル部２０６の回転は、前記袋織りに対して前記カッター部２１０を回転し、前記靴部２１４は、前記刃に乗り上げて前記カッターの継続する回転によって切られる前記袋織り２を捕らえる。最適には、前記カッターの１回転で前記フイルムが全面的に切断されるのを確実にするために、２つの刃とそれぞれの靴部が、前記カッターの周囲に１８０°間隔で設けられる。
【００２６】
図８を参照すると、前記蝶番のある蓋７０上に備えられた勝手にいじくれないタブ２２０が、前記蓋の下側から見て、より詳細に示されている。前記勝手にいじくれないタブ２２０は、例えば、蓋材料の弾性によって、下方への指による押圧に逆らって上方に偏向させて前記蓋上に弾性的に取り付けられている。前記タブ２２０は、前記カッターハンドル部２０６の下方の下部面２０３上の対応する突起２２４と係合するために配置された舌部２２２を含んでいる。前記タブが押圧されると、前記突起２２４の係合がはずれ、前記突起２２４がおよそ３６０°回転し、前記タブの舌部２２２に対するストップになるまで前記タブを解放した状態で、前記カッターの回転が可能となる。結果として、使用者は、３６０°の回転だけで完全な切断が確実に行える。
【００２７】
さらに、前記カッターハンドル部２０６の一方向の回転を確実にするためにラチエットタイプの装置が準備される。一方向タブ２２６は、例えば、前記蓋とタブが形成されている材料の弾性によって、下方向への動きに逆らって弾性的に偏向されている。従って、休止位置では、前記一方向タブ２２６は、前記カッターハンドル部２０６の下側表面２０３に係合するかきわめて接近しており、前記カッターハンドル部の回転が可能になる。ラチエットを規定するために、前記カッターハンドル部上の前記突起２２４は、さらに傾斜面２２８及び回り止め面２３０を有している。結果として、前記カッターが正しい方向に回転されたら、前記一方向タブ２２６は前記傾斜面２２８に乗り上げる。しかしながら、前記カッターが誤った方向に回転されると、前記一方向タブ２２６は前記回り止め面２３０に係合し、その方向への回転を防止する。結果として、前記カッターは、切断方向にだけ回転することができる。前記タブの回り止め及びラチエット機構は、単一要素として結合することができることが望ましい。
【００２８】
次に、図９を参照すると、上部把持ダイヤフラムが、中央孔３０２を有した主体部３００を含むものとしてより詳細に示されている。前記中央孔３０２は、円形もしくは他の適当な形状であってよく、ここでは、円形孔３０２が、多数の丸い突出部３０４を含んでいることがわかり、前記主体部３００が、前記孔３０２方向へ突出する複数の突出指３０６を有しており、前記突出指３０６は効果的に連続的な係合面を形成し、付加的な弾性を備えている。結果として、パッケージが挿入され、しかるべき所に保持されたとき、前記上部把持ダイヤフラム１２０は、前記機器が、前記しっかりとつかまれたパッケージの上部で前記袋織りをねじる準備ができたという触覚の反応を、使用者が検知できるように、明確な係合感を提供する。さらに、複数の指３０６のような前記孔の周囲によって提供される前記効果的に連続した係合面は、前記袋織りがその円周に沿って堅実につかまれることを確実にし、前記切断操作がより効果的に成され、前記カッターによってでくわす前記袋織りの包装していない部分を少なくする。
【００２９】
次に、図１０を参照すると、下部ガイドダイヤフラム１２２は、弾性材料から形成され、Ｖ型の孔４０２を含んだ主体部４００を備えており、前記Ｖ型の孔４０２は中心をはずれて備えられており、その先端部が前記主体部４００の円周近くにある三角形状のフラップ４０４を規定している。結果として、前記孔４０２を貫通して押圧された複数のパッケージは、通常、前記フラップにより、その先端方向に前記フラップの下の前記容器の壁に向けられる。結果として、前記パッケージは前記容器に壁に対向して保持され、前記容器内において懸架されている間はねじられない。前記孔４０２は、前記機器の弾性を改善し、前記ダイヤフラムを貫通して押し込まれたパッケージに対して付加的なガイドを提供する複数の指４０６の輪郭をくっきりと示すことが解るだろう。
【００３０】
上述した前記機器及び構成部品はどんな適切な材料からも、どんな適切な方法によってでも形成され得ることが高く評価されるだろう。例えば、前記部品の大部分は弾力的な樹脂あるいは硬質樹脂材料から形成することができ、上部及び下部ダイヤフラムは、エラストマー重合体のような柔軟なエラストマーから形成することができる。
【００３１】
おしめの貯蔵のためのごみ貯蔵機器の準備について議論してきたが、例えば衛生上のごみ、家庭ごみのような、如何なる適切なごみも、上述したように、貯蔵し包装することができるということが、高く評価されるだろう。同様に、前記機器は、例えば、家庭、職場、小売店、公共機関、病院、介護環境等のどのような環境においても使用することができる。前記回転するカッター部の制御のために、どのような適切な回り止め及びラチエット機構も使用できる。前記カセットを回転するための前記回転する円板は、どのような適切な態様でも据え付けられ回転することができ、さらに前記カセットの外表面上に一体的に形成することができる。前記ガイドダイヤフラム及び把持ダイヤフラムは、どのような規定された中央孔をも持つことができ、どのような柔軟又は半柔軟な材料から形成することができる。
【図面の簡単な説明】
【００３２】
【図１】公知の機器の部分的に切断された側面図である。
【図２】他の公知の機器の部分的に切断された側面図である。
【図３】公知の切断装置の表に見えない平面図である。
【図４】本発明のごみ貯蔵機器の横断面図である。
【図５】本発明の、カセットを回転させるための回転する円板の横断面図である。
【図６】カセットを保持した図５の回転する円板の横断面図である。
【図７】本発明の、カッターと蓋の横断面図である。
【図８】本発明の、蓋とカッター装置の詳細を示す斜視図である。
【図９】本発明の上部把持ダイヤフラムの平面図である。
【図１０】本発明の下部ガイドダイヤフラムの平面図である。
【図１】
2007510600.tif 000003
【図２】
2007510600.tif 000004
【図３】
2007510600.tif 000005
【図４】
2007510600.tif 000006
【図５】
2007510600.tif 000007
【図６】
2007510600.tif 000008
【図７】
2007510600.tif 000009
【図８】
2007510600.tif 000010
【図９】
2007510600.tif 000011
【図１０】
2007510600.tif 000012
【国際調査報告】
2007510600.tif 000013
2007510600.tif 000014
2007510600.tif 000015
2007510600.tif 000016